(57)【特許請求の範囲】
【請求項１】
揮発性溶剤を含有する化粧料を保持する容器本体と蓋体とを有するコンパクト容器であって、
前記蓋体は、外観を構成する外装板と、該外装板の下面に結露空間を設けて配設される内装板とから構成され、
前記内装板又は該内装板の周縁には、前記蓋体を閉じたとき、前記結露空間と化粧料の表面にある容器空間とを連通する通気孔が形成されることを特徴とする結露垂れ防止コンパクト容器。
【発明の詳細な説明】
【０００１】
【産業上の利用分野】
本発明は、揮発性化粧料を保持するコンパクト容器に関するものであって、特に容器本体の化粧料から揮発し、蓋体の天面に結露した水分、油分等の溶剤が化粧料の表面に無造作に落下してしまうことを防止することができるコンパクト容器に関するものである。
【０００２】
【従来の技術】
近年、水分や油分等の溶剤を多く含有する化粧料が、使用感の良好さから人気を博しており、この種の化粧料が気密性を高めたコンパクト容器に保持され、商品化されるに至っている。しかし、一方で、このような化粧料は溶剤が揮発しやすく、容器内部で揮発した溶剤は蓋体天面に接触してその表面で結露し、これが化粧料の表面に無造作に落下して（結露垂れ）、化粧料の表面に結露垂れのシミを形成して大きく美観を損ねるという問題があった。
【０００３】
かかる結露垂れを防止する従来方法として、特開平７-184717 号公報に示すようなコンパクト容器が提案されている。このコンパクト容器は、吸湿剤を容器本体に保持した化粧料と蓋体との間、より具体的には蓋体の天面に取り付けており、化粧料から揮発した溶剤をこの吸湿剤が取り込んで、溶剤がコンパクト容器内で結露することを防止するものである。
【０００４】
【発明が解決しようとする課題】
かかる従来のコンパクト容器は、化粧料と蓋体との間に吸湿剤を露出させて取り付けているために、化粧料から上方へ揮発する溶剤を効率よく取り込むことができる一方、吸湿剤をシート状に形成するなどして、蓋体の天面に取り付ける必要があり、吸湿剤が蓋体に露出してしまい、美観を害するという問題があった。
【０００５】
そこで、本発明の目的は、吸湿剤を用いることなく、蓋体の天面の結露を処理し、美観を保つことができるコンパクト容器を提案することにある。
【０００６】
【課題を解決するための手段】
本発明は、揮発性溶剤を含有する化粧料を保持する容器本体と蓋体とを有するコンパクト容器であって、前記蓋体は、外観を構成する外装板と、該外装板の下面に結露空間を設けて配設される内装板とから構成され、前記内装板又は該内装板の周縁には、前記蓋体を閉じたとき、前記結露空間と化粧料の表面にある容器空間とを連通する通気孔が形成されることを特徴とする結露垂れ防止コンパクト容器を提案して上記課題を解決している。
【０００７】
【発明の実施の形態】
本発明に係るコンパクト容器の実施例を図を用いて説明する。図１は第１実施例に係るコンパクト容器の斜視図、図２は第１実施例に係るコンパクト容器の側断面図である。
【０００８】
図１並びに図２に示すように、コンパクト容器Ａは、容器本体１と該容器本体１を気密に保つ蓋体２から構成され、それぞれポリプロピレン等の合成樹脂により成型されている。これら容器本体１と蓋体２の一端にはヒンジ部１ａ、２ａが設けられ、両者間に回動軸３を通すことによって両者を枢着している。また、これら容器本体１と蓋体２の他端には、係合突起１ｂと係合爪２ｂが形成されており、両者は蓋体２を回動させて容器本体１に重ねた場合に係合し、コンパクト容器Ａの閉状態を維持することができる。
【０００９】
容器本体１は、中央に平面略正方形の凹部４が形成される。この凹部４には、例えばファンデーション等の化粧料Ｋが充填され、この化粧料Ｋは溶剤を多く含み、揮発性を有する。
【００１０】
蓋体２は、その一面がコンパクト容器Ａの外観を構成し、且つ、前記蓋体２のヒンジ部２ａと係合爪２ｂが一体に形成された外装板２Ａと、該外装板２Ａの天面側に固定され、蓋体２を閉じた際、容器本体１の化粧料Ｋと対向する内装板２Ｂとから構成される。すなわち、外装板２Ａの上面２ｃがコンパクト容器Ａの外観として露出し、同外装板２Ａの下面２ｄと内装板２Ｂの上面２ｅとの間に結露空間Ｓ１が形成され、内装板２Ｂの下面２ｆと化粧料Ｋの表面との間には容器空間Ｓ０が形成される。
【００１１】
内装板２Ｂには複数の通気孔Ｈ１がマトリクス状に開口されており、前記した結露空間Ｓ１と容器空間Ｓ０とを連通している。また、内装板２Ｂの周縁部２ｇの上面に立設片２ｈが形成されている。
【００１２】
内装板２Ｂの周縁部２ｇ周囲には、環状ガスケット５が嵌め込まれている。環状ガスケット５は弾性に富むゴム材等により形成され、立設片５ａとフランジ５ｂとを有する断面Ｌ型の弾性体である。この環状ガスケット５は、容器本体１の化粧料Ｋを保持する凹部４より一回り大きな環状体であり、蓋体２を閉じた際、凹部４の外周縁の容器本体１に、凹部４を囲むように圧着する。
【００１３】
この環状ガスケット５は、内装板２Ｂの周縁部２ｇが環状ガスケット５のフランジ５ｂを押え込み、内装板２Ｂの立設片２ｈを外装板２Ａの下面２ｂに超音波溶着するなどして接着することにより、蓋体２に固定される構造となっている。
【００１４】
次に、このコンパクト容器Ａの結露垂れ防止作用を説明する。コンパクト容器Ａが気温の高い場所に置かれると、容器内の化粧料Ｋから水、油分等の溶剤が揮発し、この揮発した溶剤は環状ガスケット５により気密に保たれたコンパクト容器Ａ内に充満する。そして、気温が低くなるなどしてコンパクト容器Ａが冷却されると、揮発した溶剤が温度が低くなった蓋体２の一部に接触して結露し、多数の水滴が生じる。
【００１５】
このとき、揮発した溶剤は容器空間Ｓ０のみならず、通気孔Ｈ１を通じて、結露空間Ｓ１にも進入する。すなわち、揮発した溶剤は外装板２Ａの下面２ｄ、内装板２Ｂの上面２ｅ、内装板２Ｂの下面２ｆの合計３面に接触して結露することになる。このため、コンパクト容器Ａは、蓋体が単独の板体である通常のコンパクト容器に比べて３倍程度の結露面積を有することになる。
【００１６】
このため、揮発する溶剤が一定量なら、結露垂れの問題を生じさせる内装板２Ｂの下面２ｆに結露する溶剤は、従来のコンパクト容器に比べて１／３程度に減少することになる。また、残り２／３の揮発した溶剤は、結露空間Ｓ１を構成する外装板２Ａの下面２ｄ、内装板２Ｂの上面２ｅに結露し、この結露空間からは化粧料Ｋ上に水滴が落下し難い。このため、化粧料Ｋの表面に落下する結露を相対的に減少させることができ、もって、結露垂れを生じさせ難いコンパクト容器となる。
【００１７】
特に、外装板２Ａは、その上面２ｃが直接外気に触れ、内装板２Ｂに比べて、温度変化の影響を一番受けやすいため、揮発した溶剤は外装板２Ａの下面２ｄに結露しやすく、このため、結露空間Ｓ１においてより多量の溶剤を結露させ、容器空間Ｓ０における結露垂れの虞は小さいものとなる。
【００１８】
図３は内装板に設ける通気孔の他の構成例を示す説明図である。同図(a)(b)はともに内装板２Ｂの側断面図を示す。同図(a) は、通気孔Ｈ２の上側の開口周囲に一段高くなった土手６を設けており、内装板２Ｂの上面２ｅに溶剤が溜まっても、通気孔Ｈ２から化粧料Ｋの表面に水滴が落下し難い構造としている。
【００１９】
また、同図(b) は、通気孔Ｈ３の内面７を上方が小径となるテーパー状に形成しており、内装板２Ｂの上面２ｅの開口を小さくして、やはり内装板２Ｂ上の溶剤が落下し難い構造としている。なお、これらの構造例に加えて、蓋体２の一部に、液体に還元された溶剤を再度、化粧料Ｋへ戻してやるための溝等のドレーンを設ける構造とすることもできる。
【００２０】
図４及び図５は内装板に設ける通気孔の他の形状例を示すコンパクト容器の斜視図である。図４に示す通気孔Ｈ４はスリット形状を有し、複数の通気孔Ｈ４を内装板２Ｂの中心から放射状に形成している。また、図５に示す通気孔Ｈ５は同様にスリット形状を有し、複数の通気孔Ｈ５を２列に並列させるように内装板２Ｂに形成している。以上、例を示したように、通気孔の形状や配置をさまざまに変化させることで、内装板の意匠を変化させることができる。
【００２１】
本願発明の第２実施例を図６を用いて説明する。同図は、第２実施例にかかるコンパクト容器の側断面図である。本実施例のコンパクト容器Ｂは、外装板12Ａに対し内装板12Ｂをその中央部分で取り付けたことを特徴とする。なお、第１実施例と同一の構造は同じ番号を付してその説明を援用する（以下、他の実施例も同様）。
【００２２】
本実施例の蓋体12は、容器本体１に係合するヒンジ部12ａと係合爪12ｂが一体に形成された外装板12Ａと、該外装板12Ａの天面側に間隔をおいて固定され、蓋体12を閉じた際、容器本体１の化粧料Ｋと対向する内装板12Ｂとから構成される。外装板12Ａの上面12ｃがコンパクト容器Ｂの外観として露出し、同外装板12Ａの下面12ｄと内装板２Ｂの上面12ｅとの間に結露空間Ｓ１が形成され、内装板12Ｂの下面12ｆと化粧料Ｋの表面との間には容器空間Ｓ０が形成される。
【００２３】
内装板12Ｂは、上面12ｅの中央に形成された環状突起12ｈを外装板12Ａの下面12ｄの中央に形成された固定突起12ｇに外嵌して固定することにより、外装板12Ａに取り付けている。この環状突起12ｈ及び固定突起12ｇの高さにより外装板12Ａと内装板12Ｂとの間に間隔が生じ、ここに結露空間Ｓ１が形成される。また、内装板12Ｂの周縁には、外装板12Ａとの間に通気孔Ｈ６が形成され、この通気孔Ｈ６が結露空間Ｓ１と容器空間Ｓ０とを連通する構造となっている。
【００２４】
また、外装板12Ａには、内装板12Ｂを囲むように、環状ガスケット15が固定されている。この環状ガスケット15は、容器本体１の化粧料Ｋを保持する凹部４より一回り大きな環状体であり、蓋体12を閉じた際、凹部４の外周縁の容器本体１に、凹部４を囲むように圧着し、容器空間Ｓ０並びに結露空間Ｓ１の気密を保つ。
【００２５】
以上のように構成した、第２実施例のコンパクト容器Ｂによれば、内装板12Ｂの周囲に通気孔Ｈ６を形成するため、蓋体12を開いた際、外に表れる内装板12の下面12ｆを平らな面とすることができ、もって、美観に優れたコンパクト容器を構成することができる。
【００２６】
また、かかるコンパクト容器Ｂは、第１実施例のコンパクト容器Ａに比べて、内装板12Ｂと外装板12Ａとの接触面積が小さい。そのため、コンパクト容器Ｂの外気温度が変化しても、内装板12Ｂは、その温度が外装板12Ａに比べて変化しないため、化粧料の表面と対向して結露垂れの問題が生じる、内装板12Ｂの下面12ｆ上に結露し難い構造とすることができる。
【００２７】
さらに、図７を用いて、本願発明の第３実施例を以下に説明する。同図は第３実施例にかかるコンパクト容器の側断面図である。本実施例のコンパクト容器Ｃは、蓋体の内装板を容器本体側に係合させることを特徴としている。
【００２８】
コンパクト容器Ｃの蓋体22は、コンパクト容器Ｃの外観を構成する外装板22Ａと、容器本体１に係合するヒンジ部22ａ及び係合爪22ｂを一体に形成した内装板22Ｂとから構成されている。このため、外装板22Ａの上面22ｃがコンパクト容器Ｃの外観として露出し、内装板22Ｂの上面22ｅが一部凹んでいることにより、外装板22Ａの下面22ｄとの間に結露空間Ｓ１が形成され、内装板22Ｂの下面22ｆと化粧料Ｋの表面との間には容器空間Ｓ０が形成される。これら結露空間Ｓ１と容器空間Ｓ０とは、内装板22Ｂに穿孔した複数の通気孔Ｈ１により連通されている。
【００２９】
また、このコンパクト容器Ｃにおいては、環状ガスケット25が容器本体１の凹部４の外周に固定されており、蓋体22を閉じることにより、環状ガスケット25の上端が蓋体22の内装板22Ｂの下面22ｆに圧着し、容器空間Ｓ０並びに結露空間Ｓ１の気密を保つ構造となっている。
【００３０】
本実施例のコンパクト容器Ｃによれば、蓋体としての機能を内装板22Ｂ側に持たせ、外装板22Ａをこの内装板22Ｂに取り付ける構造としたために、外装板の外観性とヒンジ部22ａや係合爪22ｂに要求される可撓性等の機能と切り離すことができる。例えば、外装板22Ａに特殊な装飾を施した後、これを内装板22Ｂに取り付けて蓋体22を構成したり、または、内装板22Ｂと異なった材質で構成することができ、加飾性を考慮したコンパクト容器を構成することができる。
【００３１】
以上説明を行った、いずれの実施例もコンパクト容器の形状を四角形としたが、その他、円形や楕円形等、多様な形状が選択できることは勿論である。また、これら実施例においては、化粧料を容器本体に設けた凹部に直接保持する構造としたが、化粧皿を取り外し可能に容器本体側に固定した構造としてもよい。
【００３２】
【発明の効果】
本発明のコンパクト容器は、蓋体を外装板及び内装板とにより構成し、両者間に結露空間を設け、結露面積を増加させることにより、化粧料と直接対向して結露垂れの問題を生じる、内装面の下面に結露する溶剤の量を低く押さえることができるために、化粧料の表面に結露した溶剤が落下する虞を相対的に減少させることができる。同時に、従来のコンパクト容器に比べ、蓋体の天面に吸湿材が露出することがないので、美観に優れたコンパクト容器とすることができる。
【図面の簡単な説明】
【図１】第１実施例に係るコンパクト容器の斜視図である。
【図２】第１実施例に係るコンパクト容器の側断面図である。
【図３】通気孔の他の構造例を示す説明図である。
【図４】通気孔の他の形状例を示す説明図である。
【図５】通気孔の他の形状例を示す説明図である。
【図６】第２実施例に係るコンパクト容器の側断面図である。
【図７】第３実施例に係るコンパクト容器の側断面図である。
【符号の説明】
Ａ、Ｂ、Ｃ    …コンパクト容器
Ｋ    …化粧料
Ｓ０  …容器空間
Ｓ１  …結露空間
Ｈ１、Ｈ２、Ｈ３、Ｈ４、Ｈ５、Ｈ６  …通気孔
１    …容器本体
２、12、22        …蓋体
２Ａ、12Ａ、22Ａ  …外装板
２Ｂ、12Ｂ、22Ｂ  …内装板
３    …回動軸
４    …凹部
５、15、25    …環状ガスケット
【図１】
0003905173.tif 000002
【図２】
0003905173.tif 000003
【図３】
0003905173.tif 000004
【図４】
0003905173.tif 000005
【図５】
0003905173.tif 000006
【図６】
0003905173.tif 000007
【図７】
0003905173.tif 000008